(57)【要約】【課題】搬入時の認証を高めつつ、同時にリサイクル性をも解決する搬入管理システムを実現する。【解決手段】搬入業者２００の従業員６が物品１を持って搬入口１１０に接近すると、コンピュータ１１１に接続されたアンテナ１１２によって物品１に添付された搬入管理用シート状部材２の非接触式ＩＣタグ３に記憶されたＩＤコードが読み出され、管理データベース１０１の情報と照合される。さらに管理データベース１０１に登録された情報に従って物品１の工場１００内での移送経路が指定される。一方、コンピュータ１１１に接続されたカメラ装置１１３にて、従業員６の顔や物品１の形状等の物品の搬入に関わる画像が撮影される。そして、物品１に添付された搬入管理用シート状部材２がプリンタ装置１１４に挿入されることにより、搬入管理用シート状部材２の可逆性感熱表示シート４に対して、カメラ装置１１３にて撮影された画像を含む表示の形成が行われる。【選択図】図１
2010105824.tif 000002
【特許請求の範囲】
【請求項１】
特定敷地内若しくは特定経路内を移動する物品に添付される、非接触式ＩＣタグと可逆性感熱表示シートとが積層されたシート状部材と、
前記特定敷地若しくは特定経路の入口において前記非接触式ＩＣタグに記憶されたタグ情報を読み取る情報読み取り部と、
前記物品に関する物品情報が予め登録された管理データベースと、
前記物品の搬入に関わる画像を撮影して撮像画像を出力する撮影部と、
前記タグ情報と前記物品情報とを照合する照合部と、
前記撮像画像と予め用意された搬入画像情報とを比較して算出した一致度が予め設定された閾値を超えているか否かを出力する一致度算出部と、
前記照合部及び前記一致度算出部の結果に応じて前記シート状部材に添付された前記物品の搬入の可否を判断する搬入可否判断部と、
前記撮像画像を前記非接触式ＩＣタグに記憶する記憶部と、
前記撮像画像を前記可逆性感熱表示シートに形成する画像形成部と
を有する搬入管理システム。
【請求項２】
前記搬入画像情報は、前記物品の基本画像を基に、前記物品の搬入個数に応じて生成される、請求項１記載の搬入管理システム。
【請求項３】
前記非接触式ＩＣタグには、前記管理データベースと交信することで前記物品情報が前記タグ情報として記憶される、
請求項１または２記載の搬入管理システム。
【請求項４】
非接触式ＩＣタグと可逆性感熱表示シートとが積層されたシート状部材が添付された物品が搬入される特定敷地若しくは特定経路の入口において、前記非接触式ＩＣタグに記憶されたタグ情報を読み取る情報読取ステップと、
管理データベースに予め登録された前記物品に関する物品情報と前記タグ情報とを照合する照合ステップと、
前記物品の搬入に関わる画像を撮影して撮像画像を出力する撮影ステップと、
前記撮像画像と予め用意された搬入画像情報とを比較して算出した一致度が予め設定された閾値を超えているか否かを出力する一致度算出ステップと、
前記照合ステップ及び前記一致度算出ステップの結果に応じて前記シート状部材に添付された前記物品の搬入の可否を判断する搬入可否判断ステップと、
前記撮像画像を前記非接触式ＩＣタグに記憶する記憶ステップと、
前記撮像画像を前記可逆性感熱表示シートに形成する画像形成ステップと
を有する搬入管理方法。
【請求項５】
前記搬入画像情報は、前記物品の基本画像を基に、前記物品の搬入個数に応じて生成される、請求項４記載の搬入管理方法。
【請求項６】
前記非接触式ＩＣタグには、前記管理データベースと交信することで前記物品情報が前記タグ情報として記憶される、
請求項４または５記載の搬入管理方法。
【発明の詳細な説明】
【技術分野】
【０００１】
本発明は、例えば工場や研究施設等の特定敷地内、若しくは特定経路内における物品の搬入の管理に使用して好適な搬入管理システム及び搬入管理方法に関する。詳しくは、非接触式ＩＣタグと可逆性感熱表示シートとを積層したシート状部材を用いて良好な管理が行われるようにしたものである。
【背景技術】
【０００２】
従来の管理システムにおいては、非接触式ＩＣタグと書き換え可能な表示部を用いて、工程の管理を行うものが提案されている（例えば、特許文献１〜３参照。）。
【０００３】
また、本願出願人は、先に加熱により発色し、さらにその消去と再発色も可能な可逆性感熱表示シートに非接触式ＩＣタグを積層したシート状部材を用いて、工程の管理を行うシステムを発表している（例えば、非特許文献１〜３参照。）。
【０００４】
すなわち、可逆性感熱表示シートに非接触式ＩＣタグを積層したシート状部材を用いて、工程の管理を行うことは周知である。
【先行技術文献】
【特許文献】
【０００５】
【特許文献１】特開２００２−７３１３８号公報
【特許文献２】特開２００２−８７５３３号公報
【特許文献３】特開２００２−８７５３２号公報
【非特許文献】
【０００６】
【非特許文献１】http://www.ricoh.co.jp/thermal/product/tr/
【非特許文献２】http://www.ricoh.co.jp/tech/51/index.html
【非特許文献３】http://www.ricoh.co.jp/about/businessoverview/report/29/pdf/C2906.pdf
【発明の概要】
【発明が解決しようとする課題】
【０００７】
昨今の運送・配送に関しては、共同運送の事業化による運送業の統合化が整備・推進されることにより、従来の配送エリア、区分が改変されることになったり、あるいは、これまでに無いインターネットを介した運送代行業者の紹介システムにより、新規の運行代行業者が工場・倉庫に荷物を納入するようなケースが増加するようになってきている。
【０００８】
他方、工場内のラインや仕組み、搬入の状況などを製品の製造過程の一部として“シークレット”として扱う企業もあり、そのような企業の工場・倉庫に対する納入は、搬入者のセキュリティや搬入物のチェックが厳しく管理されることとなる。
【０００９】
また、世界的なテロ対策の一環として、不審物に対する対応も強化されており、例えば従来の工場の搬入ラインでは、工場・倉庫への搬入時に“発注品の不足をチェック”を主に行っていたが、今後は“未発注品の納品”のチェックも実施する必要性が検討されている。
【００１０】
さらに、各工場では、地球規模の環境影響、ゴミゼロ・リサイクル化の運動が推進されており、そのような事情を考慮した運送・搬入システムが求められている。
これらのことにより、様々な配送業者の形態、搬入の状態に応じた搬入方法、さらには、地球環境を考慮した搬入のシステム及び方法が求められているものである。
【００１１】
しかしながら、上記の特許文献１〜３に示されるような仕組み、内容をベースとしたシステムでは、工場内に閉じられたある工程、あるいは実ラインの流れを対象としたものであり、他の工程（例えば、受付システム、搬入システムなど）との連携については考慮されていなかった。
【００１２】
この出願はこのような問題点に鑑みて成されたものであって、本発明の目的は、上記の非特許文献１〜３に示すような可逆性感熱表示シートを使用したシート状部材に非接触式ＩＣタグを積層したシート状部材を用いて、工場や倉庫内等の特定敷地内、若しくは特定経路内において、搬入者の監視（管理）システムを構築し、搬入時の認証を高めつつ、同時にリサイクル性をも解決する画期的な管理システムを提案することにある。
【課題を解決するための手段】
【００１３】
上記課題を解決するため、本発明の搬入管理システムは、特定敷地内若しくは特定経路内を移動する物品に添付される、非接触式ＩＣタグと可逆性感熱表示シートとが積層されたシート状部材と、特定敷地若しくは特定経路の入口において非接触式ＩＣタグに記憶されたタグ情報を読み取る情報読み取り部と、物品に関する物品情報が予め登録された管理データベースと、物品の搬入に関わる画像を撮影して撮像画像を出力する撮影部と、タグ情報と物品情報とを照合する照合部と、撮像画像と予め用意された搬入画像情報とを比較して算出した一致度が予め設定された閾値を超えているか否かを出力する一致度算出部と、照合部及び一致度算出部の結果に応じてシート状部材に添付された物品の搬入の可否を判断する搬入可否判断部と、撮像画像を非接触式ＩＣタグに記憶する記憶部と、撮像画像を可逆性感熱表示シートに形成する画像形成部とを有する。
【発明の効果】
【００１４】
以上述べた発明によれば、可逆性感熱表示シートを使用したシート状部材に非接触式ＩＣタグを積層したシート状部材を用いて、工場や倉庫内等の特定敷地内、若しくは特定経路内において、搬入者の監視（管理）システムを構築し、搬入時の認証を高めつつ、同時にリサイクル性をも解決する画期的な搬入管理システムを実現することができる。
【図面の簡単な説明】
【００１５】
【図１】本発明による搬入管理システム、搬入管理方法及び搬入管理用シート状部材を適用した工場等における物品の搬入の一実施形態を示す模式図である。
【図２】その可逆性感熱表示シートに形成される表示の説明のための図である。
【発明を実施するための形態】
【００１６】
以下、図面を参照して本発明を説明するに、図１は、本発明による搬入管理システム、搬入管理方法及び搬入管理用シート状部材を適用した工場等における物品の搬入の一実施形態を示す模式図である。
【００１７】
図１において、例えば工場１００に搬入される物品１の搬入業者２００には、例えば搬入先の工場１００から配布される搬入管理用シート状部材２が、シートストック２０１に保管されている。ここで搬入管理用シート状部材２には、非接触式ＩＣタグ３と可逆性感熱表示シート４とが積層されて設けられ、非接触式ＩＣタグ３には少なくともユニークなＩＤコードが記憶されると共に、そのユニークなＩＤコードに対応する識別子５が可逆性感熱表示シート４に表示されている。
【００１８】
ここで搬入業者２００では、搬入される物品１に対して工場１００の管理データベース１０１に登録された搬入管理用シート状部材２が選択され、搬入される物品１に添付される。すなわち、工場１００の管理データベース１０１からは、例えばインターネットを通じて搬入業者２００のコンピュータ（ＰＣ）２０２に、搬入される物品１に対して指定された識別子５が送信され、この識別子５の表示された搬入管理用シート状部材２が選択されて、搬入される物品１に添付される。
【００１９】
あるいは、搬入管理用シート状部材２は搬入業者２００によって任意に選択され、搬入される物品１に添付された搬入管理用シート状部材２の非接触式ＩＣタグ３に記憶されたＩＤコードが、コンピュータ（ＰＣ）２０２に接続されたアンテナ２０３によって読み出されて、インターネット等を通じて工場１００の管理データベース１０１に登録される。従って、いずれの場合も搬入される物品１に添付された搬入管理用シート状部材２のＩＤコードが、物品１に関連して管理データベース１０１に登録される。
【００２０】
なお、工場１００の管理データベース１０１には、例えば工場１００の発注のデータベース（図示せず）に連携して、工場１００に搬入される全ての物品が、例えば工場１００内の食堂（図示せず）に搬入される食材にいたるまで登録されており、これらの搬入される全ての物品に搬入管理用シート状部材２が添付されると共に、その搬入管理用シート状部材２の非接触式ＩＣタグ３に記憶されたＩＤコードが、搬入される物品に関連して管理データベース１０１に登録される。
【００２１】
そして搬入業者２００は、物品１をトラック２０４等により工場１００の搬入口１１０に運搬する。さらに搬入業者２００の従業員６が物品１を持って搬入口１１０に接近すると、最初に搬入口１１０に設置されたコンピュータ（ＰＣ）１１１に接続されたアンテナ１１２によって、物品１に添付された搬入管理用シート状部材２の非接触式ＩＣタグ３に記憶されたＩＤコードが読み出され、読み出されたＩＤコードは、ＬＡＮ１０２を通じて接続された管理データベース１０１の情報と照合される。
【００２２】
この照合によって、物品１の工場１００内への搬入の可否が判断される。すなわち、物品１に添付された搬入管理用シート状部材２の非接触式ＩＣタグ３から読み出されたＩＤコードと、管理データベース１０１に登録された情報が合致した場合には、物品１の工場１００内への搬入が許可される。これに対して、管理データベース１０１に登録された情報に合致するＩＤコードが読み出されない場合（ＩＤコードが全く読み出されない場合も含む）には、物品１の工場１００内への搬入が拒否される。
【００２３】
さらに、物品１の搬入が許可された場合には、管理データベース１０１に登録された情報に従って物品１の工場１００内での移送経路が指定される。すなわち、搬入管理用シート状部材２の非接触式ＩＣタグ３から読み出されたＩＤコードが管理データベース１０１に登録された情報と照合されることによって、搬入される物品１の機密レベルや、その搬入先の領域Ａ〜Ｃの機密管理レベルが判別され、それらのレベルに応じて工場１００内での物品１の移送経路が指定される。
【００２４】
一方、物品１の搬入が許可された場合には、コンピュータ（ＰＣ）１１１に接続されたカメラ装置１１３にて、従業員６の顔や物品１の形状等の物品の搬入に関わる画像が撮影される。そして、物品１に添付された搬入管理用シート状部材２が取り出され、コンピュータ（ＰＣ）１１１に接続された可逆性感熱表示シートのプリンタ装置１１４に挿入される。これにより、搬入管理用シート状部材２の可逆性感熱表示シート４に対して、カメラ装置１１３にて撮影された画像を含む表示の形成が行われる。
【００２５】
さらに、ここでは物品の搬入を行う従業員６及び搬入される物品の認証も行われる。すなわち、ここでは
ａ）ＩＤコードを識別
ｂ）ＩＤコードに対応する搬入画像情報（搬入予定者の顔写真、搬入物の画像）を取得
ｃ）顔、物品の画像撮影
ｄ）取得した搬入画像情報と撮像画像との画像の判別（類似画像検索技術、画像比較処理）が行われている。
【００２６】
そして、
ｅ）判別結果ＯＫ→各々の画像の構成要素、特徴量などを比較し、その一致度が７０％以上、
判別結果ＮＧ→不明瞭、余分な画像の映り込み、一致度が７０％未満
（ただし、一致度は、搬入先の機密レベル、搬入者、搬入物、搬入先などの情報によって異なり、各々設定される）
ｆ）判定結果がＯＫの場合は所定の領域に可逆表示し、ＮＧの場合は搬入者、物品のチェックをし、画像を撮り直すなどの処理が行われる。
【００２７】
このような認証は、本発明に採用される非接触式ＩＣタグ３の弱点である、タグは付いているが不正な物品の搬入を阻止するために設けられるものである。ここで、例えばコピー機におけるトナーボトルと同じ形状をした危険物が多く含まれていた場合であっても、トナーボトルの基本画像が管理データベース１０１に登録されていれば、搬入予定されている数量等から合計の搬入画像を生成し、その生成画像と撮像画像の比較から、過剰か否かを判別することができる。
【００２８】
すなわち、上述のコピー機におけるトナーボトルの搬入において、例えば搬入予定の５本分のタグは応答したが、撮像画像は１０本分の画像であった場合には、管理データベース１０１に格納されている１本分のトナーボトル画像の５倍分の画像と比較しても、撮像画像の縦横比がオーバするので一致しない。このような判断によって、物品の搬入を行う従業員６及び搬入される物品の認証も行うことができ、不正な物品の搬入を阻止することができるものである。
【００２９】
また、搬入管理用シート状部材２の可逆性感熱表示シート４には、当初は例えば図２のＡまたはＢに示すように、それぞれ搬入される物品の内容等に応じた搬入許可証（一般）と、搬入許可証（特定）等の様式が設けられ、それぞれブランクの部分に英数字や記号等からなる識別子５が表示されている。なお、識別子５には英数字や記号だけでなく、ＩＤコードと各工程における搬入に関する情報（工程以外の環境的な情報含む）に基づく表示や、さらに識別子、搬入者、搬入物、搬入経路、搬入許可情報のいずれか１つを少なくとも含む情報が表示されていても良く、これらは適応する領域に可逆表示されるようにすることができる。
【００３０】
そして物品１の搬入が許可され、搬入管理用シート状部材２がプリンタ装置１１４に挿入されると、上記の識別子５は消去され、例えば図２のＣまたはＤに示すように従業員の顔写真７と、管理データベース１０１との交信によって得られた物品１の移送経路や内容物等の搬入許可情報８が、搬入管理用シート状部材２の可逆性感熱表示シート４に表示される。なお、図２のＤに示す様式では、図２のＣの様式より従業員６の顔写真７が大きくされると共に、その所属や氏名等が併記されて、可逆性感熱表示シート４の上部の見やすい位置に表示される。
【００３１】
このようにして、従業員６の顔写真７と物品１の搬入先や内容物等の搬入許可情報８の表示された搬入管理用シート状部材２が物品１に添付されて、物品１の搬入が行われる。なお、上述の従業員６の顔写真７等の画像情報や、物品１の移送経路や内容物等の搬入許可情報８は、コンピュータ（ＰＣ）１１１に接続されたアンテナ１１２によって、物品１に添付された搬入管理用シート状部材２の非接触式ＩＣタグ３にも記憶させる。また、この非接触式ＩＣタグ３にはその他の管理情報等も記憶させることができる。
【００３２】
さらに、この工場１００内には、例えば各領域Ａ〜Ｃの入口や通路の要所に、搬入管理用シート状部材２の非接触式ＩＣタグ３との交信を行うためのゲートアンテナ１２１、１２２…が設けられる。そして、工場１００内では、物品１を搬入する従業員６が各ゲートアンテナ１２１、１２２…の近傍を通過するごとに、非接触式ＩＣタグ３に記憶された情報が読み出されて、物品１の工場１００内への搬入後の管理が行われる。
【００３３】
すなわち、この物品１の工場１００内への搬入後の管理においては、まず、搬入管理用シート状部材２に搬入する従業員６の顔写真７が表示されることで、搬入する従業員６の人物確認を容易に行うことができ、物品１の搬入の管理を良好に行うことができる。また、物品１の移送経路等も搬入管理用シート状部材２に表示されることで、その移送経路を逸脱しているような場合には、容易にその事実を確認して移送経路の逸脱を解消させることができる。
【００３４】
さらに、各ゲートアンテナ１２１、１２２…では、搬入管理用シート状部材２の非接触式ＩＣタグ３に記憶された搬入許可情報８が読み出される。これにより、例えば上述の移送経路の逸脱に対する管理が行われる。なお、搬入許可情報８には、例えば移送経路上の各ゲートアンテナ１２１、１２２…の通過時間を予め算出して併記しておくことにより、その通過時間に対しても管理を行うことができ、逸脱が生じたときには、アンテナ等の不具合のないことをチェックした上で、警報を発するなどの処置を行うこともできる。
【００３５】
また、図１の工場１００において、例えば領域Ａと領域Ｂは機密管理レベルが低く設定され、領域Ｃには高い機密管理レベルが設定されていた場合には、それらの機密管理レベルの異なる領域で、境界となる通路にもゲートアンテナ１２４が設けられる。そしてこのゲートアンテナ１２４では、搬入口１１０とほぼ同様の手続で物品１の領域Ｃへの搬入の可否が判断される。すなわち、ここでは物品１のＩＤコードが領域Ｃへ搬入されるものとして、管理データベース１０１に登録されているか否かが判断される。
【００３６】
さらに、物品１の搬入が許可された場合には、物品１に添付された搬入管理用シート状部材２が取り出され、可逆性感熱表示シートのプリンタ装置１３０に挿入される。そしてこの場合には、搬入管理用シート状部材２の可逆性感熱表示シート４に対して、例えば図２のＣに示した様式の表示が消去され、新たに図２のＤに示すような様式で表示が形成される。すなわちこの様式では、従業員６の顔写真７が大きくされると共に、その所属や氏名等が併記されて、可逆性感熱表示シート４の上部の見やすい位置に表示される。
【００３７】
ここで、表示の形成に用いられる従業員６の顔写真７や、物品１の移送経路や内容物等の搬入許可情報８は、搬入管理用シート状部材２の非接触式ＩＣタグ３に記憶されたデータを用いることができるので、この場所にカメラやコンピュータ等を設ける必要がない。また、形成される表示の様式に関しても、例えばそのためのアプリケーションソフトウェアを非接触式ＩＣタグ３に設けておくことによって、プリンタ装置１３０だけで様式の異なる表示の形成を行うことができるものである。
【００３８】
そして、このように同じ工場１００内においても、機密管理レベル等に応じて可逆性感熱表示シート４の表示が書き換えられることによって、特に機密管理レベルが高く設定されている領域Ｃの近くでは、搬入する従業員６の人物確認や搬入先の確認等を容易に行うことができる。さらにこのように表示の様式が変えられることで、搬入を行う従業員６に自覚を促すことのできる効果もある。すなわち、従業員６には工場１００の状況が把握できなくても、搬入の途中で表示の様式が変えられることで自覚が促されるものである。
【００３９】
なお、搬入される物品１そのものの機密レベルが高い場合には、搬入口１１０のプリンタ装置１１４にて図２のＤに示す様式の表示が形成される場合もある。また、様式は図２のＣ、Ｄに示すものだけに限らず、各種の状況に応じた様式が用意される。すなわち、顔写真７の大きさには、各種機密管理レベル等に応じて複数の段階を設けたり、搬入先や物品１の内容物の表示も、表示面積を拡大／縮小したり、表示の文字を大きくしたり、文字を太文字にするなどの種々の様式を用意することができる。
【００４０】
さらに物品１の搬入が完了されると、搬入管理用シート状部材２の可逆性感熱表示シート４に受領の印が形成される。なおこのような印の形成は、加熱印字部材と通信手段との併設された記入装置を用いて行うことができる。そしてこのような記入装置を用いた場合には、加熱印字部材によって印が形成されると共に、通信手段と非接触式ＩＣタグ３と通信が行われて、非接触式ＩＣタグ３の記憶データが書き換えられる。このような記入装置については、本願出願人が特願２００４−４８２６５号に開示した発明が利用される。
【００４１】
また、可逆性感熱表示シート４に受領の印が形成された搬入管理用シート状部材２は、搬入口１１０のゲートアンテナ１２１でチェックされて回収される。なお、ゲートアンテナ１２１では搬入管理用シート状部材２の不正な持ち出しも防止される。すなわち、ゲートアンテナ１２１では、通過される全ての搬入管理用シート状部材２の非接触式ＩＣタグ３の記憶データがチェックされ、例えば搬入口１１０で回収される搬入管理用シート状部材２の非接触式ＩＣタグ３の記憶データと照合されて、全ての搬入管理用シート状部材２が回収されるよう管理が行われる。
【００４２】
さらに、回収された搬入管理用シート状部材２は回収印刷装置１０３に投入されて、可逆性感熱表示シート４の表示及び非接触式ＩＣタグ３の記憶データが消去され、当初の識別子５の表示が形成される。このような回収印刷装置についても、本願出願人が特願２００４−４８２６５号に開示した発明が利用される。そして当初の状態に戻された搬入管理用シート状部材２は搬入業者２００に配布されて、再び搬入業者２００による搬入業務に使用される。
【００４３】
なお、非接触式ＩＣタグ３に記憶されるユニークなＩＤコードは、例えば非接触式ＩＣタグ３のＲＯＭ領域に記憶されて、搬入管理用シート状部材２ごとにユニークなものとする。一方、可逆性感熱表示シート４に表示される識別子５は任意の連続的な記号とすると共に、ＩＤコードと識別子５との対照テーブルを管理データベース１０１に設ける。これによって、非接触式ＩＣタグ３に記憶されたユニークなＩＤコードに対応する識別子５が可逆性感熱表示シート４に表示されている状態とすることができる。
【００４４】
このようにして、上述の搬入管理システムにおいては、使用済みの搬入管理用シート状部材２のリサイクルを行うことができる。したがって、本発明の搬入管理システムによれば、従来から問題とされていた膨大な量の紙資源を廃棄するための経費の問題や、環境への配慮等の問題も良好に解決されるものである。
【００４５】
なお、上述の本発明の実施の形態においては、最初に搬入口１１０に設置されたコンピュータ（ＰＣ）１１１で、アンテナ１１２により読み出されたＩＤコードと、ＬＡＮ１０２を通じて接続された管理データベース１０１の情報とを照合するとしたが、例えばコンピュータ（ＰＣ）１１１に予め管理データベース１０１から、例えば１日分の情報をダウンロードしておくことによって、ＩＤコードの読み出しごとに管理データベース１０１にアクセスする回数を削減し、照合を迅速に行えるようにすることができる。
【００４６】
また、上述の本発明の実施の形態においては、例えば図２のＣ、Ｄに示すような様式で従業員の顔写真７が表示されるとしたが、カメラ１１３で撮影された搬入される物品１の形状等を従業員の顔写真７と共に表示しても良い。このようにすることは、特に物品１の搬入の管理において有効であり、事前に受付時において不正な人物による搬入あるいは物品の持込や、敷地内部での物品の不正な移動等を良好に防止することができる。また、表示される移動経路には地図も含まれ、移動する経路の状態、ルートなどが可視的に判別可能な情報とされていても良い。
【００４７】
さらに、上述の本発明の実施の形態においては、プリンタ装置１３０での表示様式の変更のアプリケーションソフトウェアを非接触式ＩＣタグ３に設けておくとしたが、この他にも、カメラ１１３の駆動の制御や、人物確認のために指紋照合機や虹彩照合機が採用されている場合には、それらの駆動のためのアプリケーションソフトウェアを非接触式ＩＣタグ３に設けておくこともできる。
【００４８】
また、上述の本発明の実施の形態においては、プリンタ装置１３０での表示様式の変更のアプリケーションソフトウェアを非接触式ＩＣタグ３に設けておくとしたが、これらの必要な表示様式は予めプリンタ１３０に登録しておき、非接触式ＩＣタグ３にはそれらの表示様式を選択するコード等を記憶させることで、プリンタ装置１３０での表示様式の変更が行われるようにすることもできる。
【００４９】
さらに、上述の本発明の実施の形態においては、物品１の搬入を１箇所の工場１００内での搬入としたが、例えば同じ物品１が複数の工場や倉庫などを移送される場合にも、１枚の搬入管理用シート状部材２を添付することで、それぞれの工場では表示を書き換えつつ、良好な搬入の管理を行うことができる。
【００５０】
従って上述の実施形態において、可逆性感熱表示シートを使用したシート状部材に非接触式ＩＣタグを積層したシート状部材を用いて、工場や倉庫内等の特定敷地内、若しくは特定経路内において、搬入者の監視（管理）システムを構築し、搬入時の認証を高めつつ、同時にリサイクル性をも解決する画期的な搬入管理システムを実現することができるものである。
【００５１】
なお、本発明の搬入管理システム、搬入管理方法及び搬入管理用シート状部材は、上述の実施形態に示した工場等への物品の搬入に限らず、自動車や自転車等によるラリーや、トライアスロン等の複数のゲートを用いて管理されるスポーツ競技等において、ゲートの通過の管理を行うなどの種々の用途に利用することができるものである。
【００５２】
こうして本発明の搬入管理システムによれば、非接触式ＩＣタグと可逆性感熱表示シートとを積層したシート状部材を用いて特定敷地内、若しくは特定経路内を移動する物品の搬入の管理を行う搬入管理システムであって、特定敷地若しくは特定経路の入口において非接触式ＩＣタグに記憶された情報を読み取る手段と、物品の情報が予め登録された管理データベースと、非接触式ＩＣタグから読み取られた情報と管理データベースに登録された情報とを照合する手段と、照合の結果に応じてシート状部材の添付された物品の搬入の可否を判断する手段とを有することにより、搬入時の認証を高めて、良好な物品の搬入の管理を行うことができるものである。
【００５３】
また、本発明の搬入管理システムによれば、非接触式ＩＣタグと可逆性感熱表示シートとを積層したシート状部材を用いて特定敷地内、若しくは特定経路内を移動する物品の搬入の管理を行う搬入管理システムであって、特定敷地若しくは特定経路の入口において非接触式ＩＣタグに記憶された情報を読み取る手段と、物品の情報が予め登録された管理データベースと、非接触式ＩＣタグから読み取られた情報と管理データベースに登録された情報とを照合する手段と、照合の結果に応じてシート状部材の添付された物品の搬入の可否を判断する手段と、物品の搬入に関わる画像を撮影する手段と、撮影された画像を非接触式ＩＣタグに記憶する手段及び／または撮影された画像を可逆性感熱表示シートに形成する手段とを有することにより、画像を用いた搬入の管理を良好に行うことができるものである。
【００５４】
さらに本発明の搬入管理方法によれば、非接触式ＩＣタグと可逆性感熱表示シートとを積層したシート状部材を用いて特定敷地内、若しくは特定経路内を移動する物品の搬入の管理を行う搬入管理方法であって、特定敷地若しくは特定経路の入口において、非接触式ＩＣタグに記憶された情報を読み取り、予め登録された物品の管理データベースとの照合によって、非接触式ＩＣタグの添付された物品の搬入の可否を決定することにより、搬入時の認証を高めて、良好な物品の搬入の管理を行うことができるものである。
【００５５】
また、本発明の搬入管理方法によれば、非接触式ＩＣタグと可逆性感熱表示シートとを積層したシート状部材を用いて特定敷地内、若しくは特定経路内を移動する物品の搬入の管理を行う搬入管理方法であって、特定敷地若しくは特定経路の入口において、非接触式ＩＣタグに記憶された情報を読み取り、予め登録された物品の管理データベースとの照合によって、非接触式ＩＣタグの添付された物品の搬入の可否を決定すると共に、物品の搬入に関わる画像を撮影して撮影された画像を非接触式ＩＣタグに記憶及び／または可逆性感熱表示シートに形成することにより、画像を用いた搬入の管理を良好に行うことができるものである。
【００５６】
さらに本発明の搬入管理用シート状部材によれば、非接触式ＩＣタグと可逆性感熱表示シートとが積層され、特定敷地内、若しくは特定経路内において移動される物品の搬入の管理を行う搬入管理用シート状部材であって、物品に添付されるシート状部材の非接触式ＩＣタグには少なくともユニークなＩＤコードが記憶され、ユニークなＩＤコードに対応する識別子がシート状部材の可逆性感熱表示シートに表示されることにより、搬入の管理を良好に行うことができると共に、リサイクル性をも解決する画期的な搬入管理システムを実現することができるものである。
【００５７】
なお本発明は、上述の説明した実施形態に限定されるものではなく、本発明の精神を逸脱することなく種々の変形が可能とされるものである。
【符号の説明】
【００５８】
１…物品、２…搬入管理用シート状部材、３…非接触式ＩＣタグ、４…可逆性感熱表示シート、５…識別子、６…従業員、７…従業員の顔写真、８…搬入許可情報、１００…工場、１０１…管理データベース、１０２…ＬＡＮ、１０３…回収印刷装置、１１０…搬入口、１１１…コンピュータ（ＰＣ）、１１２…アンテナ、１１３…カメラ装置、１１４…プリンタ装置、１２１〜１２５…ゲートアンテナ、１３０…プリンタ装置、２００…搬入業者、２０１…シートストック、２０２…コンピュータ（ＰＣ）、２０３…アンテナ、２０４…トラック
【図１】
2010105824.tif 000003
【図２】
2010105824.tif 000004